(57)【要約】【課題】遊技画面の大きさを容易かつ適切に調整することができる投影型遊技機を提供する。【解決手段】パチンコ機１は、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６と、スクリーン１０の大きさを示すスクリーンサイズ情報に基づいてパチンコ遊技画面の大きさを調整する遊技制御部５２とを備える。【選択図】　図７
2004105706.tif 000002
【特許請求の範囲】
【請求項１】
投影光を透過させ又は反射させることにより投影画面を表示可能なスクリーンを有する遊技盤が取付可能であり、前記スクリーンに遊技画面を表示して遊技を行う遊技機であって、
前記遊技盤が取り付けられた場合に前記スクリーンに前記遊技画面を投影する投影手段と、前記スクリーンの大きさに関するスクリーンサイズ情報に基づいて前記遊技画面の大きさを調整する遊技画面調整手段とを備えることを特徴とする投影型遊技機。
【請求項２】
投影光を透過させることにより投影画面を表示可能なスクリーンを有する遊技盤が取付可能であり、前記スクリーンに遊技画面を表示して遊技を行う遊技機であって、
前記遊技画面を投影する投影手段と、前記遊技盤の取付位置よりも奥行きに設け且つ前記遊技盤が取り付けられた場合に前記投影手段からの投影光を前記スクリーンの裏面に向けて反射させる反射手段と、前記スクリーンの大きさに関するスクリーンサイズ情報に基づいて前記遊技画面の大きさを調整する遊技画面調整手段とを備えることを特徴とする投影型遊技機。
【請求項３】
請求項２において、
前記遊技盤には、当該遊技盤のスクリーンの大きさに関するスクリーンサイズ情報が付されており、
さらに、前記遊技盤が取り付けられた場合に前記スクリーンサイズ情報を前記遊技盤から読み取るスクリーンサイズ情報読取手段を備え、
前記遊技画面調整手段は、前記スクリーンサイズ情報読取手段で読み取ったスクリーンサイズ情報に基づいて前記遊技画面の大きさを調整するようになっていることを特徴とする投影型遊技機。
【請求項４】
請求項３において、
前記遊技画面調整手段は、前記スクリーンサイズ情報読取手段で読み取ったスクリーンサイズ情報により特定されるスクリーンの大きさに収まるように前記遊技画面の大きさを調整するようになっていることを特徴とする投影型遊技機。
【請求項５】
請求項３及び４のいずれかにおいて、
前記遊技盤は、第１の大きさのスクリーンを有する第１遊技盤、及び前記第１の大きさとは異なる第２の大きさのスクリーンを有する第２遊技盤のいずれかであり、
前記第１遊技盤には、前記第１の大きさに関するスクリーンサイズ情報が付されており、前記第２遊技盤には、前記第２の大きさに関するスクリーンサイズ情報が付されており、
前記遊技画面調整手段は、前記スクリーンサイズ情報読取手段で読み取ったスクリーンサイズ情報が前記第１の大きさに関するものであるときは、前記遊技画面の大きさを前記第１の大きさ以下となるように調整し、前記スクリーンサイズ情報読取手段で読み取ったスクリーンサイズ情報が前記第２の大きさに関するものであるときは、前記遊技画面の大きさを前記第２の大きさ以下となるように調整するようになっていることを特徴とする投影型遊技機。
【請求項６】
請求項３乃至５のいずれかにおいて、
前記スクリーンサイズ情報は、バーコード、２次元バーコード、ＲＦＩＤ（Ｒａｄｉｏ　Ｆｒｅｑｕｅｎｃｙ　ＩＤｅｎｔｉｆｉｃａｔｉｏｎ）非接触型タグ及びＩＣチップのいずれかとして前記遊技盤に付されていることを特徴とする投影型遊技機。
【請求項７】
請求項２において、
前記スクリーンサイズ情報を蓄積する情報蓄積端末と通信可能に接続し、
さらに、前記スクリーンサイズ情報を前記情報蓄積端末から取得するスクリーンサイズ情報取得手段を備え、
前記遊技画面調整手段は、前記スクリーンサイズ情報取得手段で取得したスクリーンサイズ情報に基づいて前記遊技画面の大きさを調整するようになっていることを特徴とする投影型遊技機。
【請求項８】
請求項３記載の投影型遊技機に適用する遊技盤であって、
投影光を透過させ又は反射させることにより投影画面を表示可能なスクリーンを備え、
当該遊技盤のスクリーンの大きさに関するスクリーンサイズ情報が付されていることを特徴とする遊技盤。
【請求項９】
裏面からの光が透過可能な画面表示領域を有する遊技盤が取付可能であり、前記画面表示領域に遊技画面を表示して遊技を行う遊技機であって、
前記遊技盤が取り付けられた場合に前記画面表示領域の裏面を覆うように配置され且つ前記遊技画面を表示する遊技画面表示手段と、前記画面表示領域の大きさに関する表示領域サイズ情報に基づいて前記遊技画面の大きさを調整する遊技画面調整手段とを備えることを特徴とする遊技機。
【発明の詳細な説明】
【０００１】
【発明の属する技術分野】
本発明は、プロジェクタ等の投影装置により投影される遊技画面をスクリーンに表示して遊技を行う遊技機およびそれに適用する遊技盤に係り、特に、遊技画面の大きさを容易かつ適切に調整することができる投影型遊技機、遊技盤および遊技機に関する。
【０００２】
【従来の技術】
従来、プロジェクタ等の投影装置により投影される遊技画面をスクリーンに表示して遊技を行う投影型遊技機としては、例えば、実開平７−２４３８１号公報に開示されているゲーム機があった。
このゲーム機は、ゲーム機フロントパネルと、液晶表示装置を有する投影機と、液晶表示装置の液晶表示素子を介して放射される光画像を拡大する投影レンズと、ゲーム機フロントパネルに形成される透光性光画像表示部とを備え、ゲーム機フロントパネルを、画像を表示することができる材料により構成している。
【０００３】
これにより、液晶表示装置の液晶表示素子のサイズを小さいまま変更することなしに透光性光画像表示部のサイズを変更設定することができる。そして、小さいサイズの液晶表示素子の光画像を投影レンズにより拡大投影して大画面の表示をすることができるので、大型の液晶表示素子を使用することに起因するゲーム機製造コストの大幅上昇を抑えることができる。
【０００４】
【発明が解決しようとする課題】
パチンコホール等の遊技施設では、経営者の運営方針によって透光性光画像表示部の大きさを決定している。例えば、透光性光画像表示部が小さい遊技盤を採用した場合には、透光性光画像表示部以外の領域に遊技釘を多く打てるので遊技球の流下に多彩な変化をもたせることができ、遊技球の変化による視覚的効果を向上することができる。これに対し、透光性光画像表示部が大きい遊技盤を採用した場合には、遊技球の変化による視覚的効果が低いが、透光性光画像表示部に遊技画面を大きく表示することができるので、遊技画面の演出による視覚的効果を向上することができる。
【０００５】
しかしながら、上記従来のゲーム機にあっては、透光性光画像表示部の大小にかかわらず遊技盤を取り付けた場合は、遊技画面が透光性光画像表示部の大きさに合うように、ホールスタッフや技術者が透光レンズを手作業により調整しなければならず、作業が極めて煩雑であり、また手作業では、遊技画面が透光性光画像表示部の大きさに合うように調整するのが技術的に難しく、調整がうまく行かない場合もあった。
そこで、本発明は、このような従来の技術の有する未解決の課題に着目してなされたものであって、遊技画面の大きさを容易かつ適切に調整することができる投影型遊技機、遊技盤および遊技機を提供することを目的としている。
【０００６】
【課題を解決するための手段】
上記目的を達成するために、本発明に係る請求項１記載の投影型遊技機は、投影光を透過させまたは反射させることにより投影画面を表示可能なスクリーンを有する遊技盤が取付可能であり、前記スクリーンに遊技画面を表示して遊技を行う遊技機であって、前記遊技盤が取り付けられた場合に前記スクリーンに前記遊技画面を投影する投影手段と、前記スクリーンの大きさに関するスクリーンサイズ情報に基づいて前記遊技画面の大きさを調整する遊技画面調整手段とを備える。
【０００７】
このような構成であれば、遊技盤が取り付けられると、遊技画面調整手段により、スクリーンサイズ情報に基づいて遊技画面の大きさが調整される。遊技盤が取り付けられた状態で、投影手段からの投影光がスクリーンに照射されると、照射された投影光がスクリーンを透過しまたはスクリーンで反射することにより投影画面がスクリーンに表示される。このようにして、投影手段によりスクリーンに遊技画面が表示され、遊技が行われる。
【０００８】
ここで、投影手段およびスクリーンの配置構造は、遊技盤が取り付けられた場合に投影手段からの投影光をスクリーンの裏面から照射するようになっていてもよいし、遊技盤が取り付けられた場合に投影手段からの投影光をスクリーンの前面から照射するようになっていてもよい。
また、スクリーンサイズ情報は、どのようにして与えてもよい。例えば、ホールコンピュータ等にスクリーンサイズ情報を蓄積し、ホールコンピュータ等からスクリーンサイズ情報を取得することにより与えるようになっていてもよいし、直接または遠隔でスクリーンサイズ情報を入力することにより与えるようになっていてもよい。作業の容易化を図る観点からは、スクリーンサイズ情報を遊技盤に付しておき、遊技盤の取付時にスクリーンサイズ情報を遊技盤から読み取るようになっているのが好ましい。以下、請求項２記載の投影型遊技機において同じである。
【０００９】
さらに、本発明に係る請求項２記載の投影型遊技機は、投影光を透過させることにより投影画面を表示可能なスクリーンを有する遊技盤が取付可能であり、前記スクリーンに遊技画面を表示して遊技を行う遊技機であって、前記遊技画面を投影する投影手段と、前記遊技盤の取付位置よりも奥行きに設けかつ前記遊技盤が取り付けられた場合に前記投影手段からの投影光を前記スクリーンの裏面に向けて反射させる反射手段と、前記スクリーンの大きさに関するスクリーンサイズ情報に基づいて前記遊技画面の大きさを調整する遊技画面調整手段とを備える。
【００１０】
このような構成であれば、遊技盤が取り付けられると、遊技画面調整手段により、スクリーンサイズ情報に基づいて遊技画面の大きさが調整される。遊技盤が取り付けられた状態で、投影手段からの投影光が反射手段に照射されると、反射手段により、その投影光がスクリーンの裏面に向けて反射する。そして、スクリーンの裏面に投影光が照射されると、照射された投影光がスクリーンを透過することにより投影画面がスクリーンに表示される。このようにして、投影手段によりスクリーンに遊技画面が表示され、遊技が行われる。
【００１１】
さらに、本発明に係る請求項３記載の投影型遊技機は、請求項２記載の投影型遊技機において、前記遊技盤には、当該遊技盤のスクリーンの大きさに関するスクリーンサイズ情報が付されており、さらに、前記遊技盤が取り付けられた場合に前記スクリーンサイズ情報を前記遊技盤から読み取るスクリーンサイズ情報読取手段を備え、前記遊技画面調整手段は、前記スクリーンサイズ情報読取手段で読み取ったスクリーンサイズ情報に基づいて前記遊技画面の大きさを調整するようになっている。
【００１２】
このような構成であれば、遊技盤が取り付けられると、スクリーンサイズ情報読取手段により、スクリーンサイズ情報が遊技盤から読み取られ、遊技画面調整手段により、読み取られたスクリーンサイズ情報に基づいて遊技画面の大きさが調整される。
ここで、スクリーンサイズ情報としては、例えば、バーコード、２次元バーコード、ＲＦＩＤ非接触型タグ、ＩＣチップその他の識別情報を用いることができる。以下、請求項８記載の遊技盤において同じである。
また、スクリーンサイズ情報を遊技盤に付することには、スクリーンサイズ情報を遊技盤の表面または内面に付着することのほか、スクリーンサイズ情報を遊技盤に埋め込むことも含まれる。以下、請求項８記載の遊技盤において同じである。
【００１３】
さらに、本発明に係る請求項４記載の投影型遊技機は、請求項３記載の投影型遊技機において、前記遊技画面調整手段は、前記スクリーンサイズ情報読取手段で読み取ったスクリーンサイズ情報により特定されるスクリーンの大きさに収まるように前記遊技画面の大きさを調整するようになっている。
このような構成であれば、遊技盤が取り付けられると、スクリーンサイズ情報読取手段により、スクリーンサイズ情報が遊技盤から読み取られ、遊技画面調整手段により、読み取られたスクリーンサイズ情報により特定されるスクリーンの大きさに収まるように遊技画面の大きさが調整される。
【００１４】
さらに、本発明に係る請求項５記載の投影型遊技機は、請求項３および４のいずれかに記載の投影型遊技機において、前記遊技盤は、第１の大きさのスクリーンを有する第１遊技盤、および前記第１の大きさとは異なる第２の大きさのスクリーンを有する第２遊技盤のいずれかであり、前記第１遊技盤には、前記第１の大きさに関するスクリーンサイズ情報が付されており、前記第２遊技盤には、前記第２の大きさに関するスクリーンサイズ情報が付されており、前記遊技画面調整手段は、前記スクリーンサイズ情報読取手段で読み取ったスクリーンサイズ情報が前記第１の大きさに関するものであるときは、前記遊技画面の大きさを前記第１の大きさ以下となるように調整し、前記スクリーンサイズ情報読取手段で読み取ったスクリーンサイズ情報が前記第２の大きさに関するものであるときは、前記遊技画面の大きさを前記第２の大きさ以下となるように調整するようになっている。
【００１５】
このような構成であれば、第１遊技盤が取り付けられると、スクリーンサイズ情報読取手段により、スクリーンサイズ情報が第１遊技盤から読み取られ、読み取られたスクリーンサイズ情報が第１の大きさに関するものであるので、遊技画面調整手段により、遊技画面の大きさが第１の大きさ以下となるように調整される。また、第２遊技盤が取り付けられると、スクリーンサイズ情報読取手段により、スクリーンサイズ情報が第２遊技盤から読み取られ、読み取られたスクリーンサイズ情報が第２の大きさに関するものであるので、遊技画面調整手段により、遊技画面の大きさが第２の大きさ以下となるように調整される。
【００１６】
さらに、本発明に係る請求項６記載の投影型遊技機は、請求項３ないし５のいずれかに記載の投影型遊技機において、前記スクリーンサイズ情報は、バーコード、２次元バーコード、ＲＦＩＤ非接触型タグおよびＩＣチップのいずれかとして前記遊技盤に付されている。
このような構成であれば、遊技盤が取り付けられると、スクリーンサイズ情報読取手段により、バーコード、２次元バーコード、ＲＦＩＤ非接触型タグおよびＩＣチップのいずれかとして遊技盤に付されたスクリーンサイズ情報が遊技盤から読み取られ、遊技画面調整手段により、読み取られたスクリーンサイズ情報に基づいて遊技画面の大きさが調整される。
【００１７】
さらに、本発明に係る請求項７記載の投影型遊技機は、請求項２記載の投影型遊技機において、前記スクリーンサイズ情報を蓄積する情報蓄積端末と通信可能に接続し、さらに、前記スクリーンサイズ情報を前記情報蓄積端末から取得するスクリーンサイズ情報取得手段を備え、前記遊技画面調整手段は、前記スクリーンサイズ情報取得手段で取得したスクリーンサイズ情報に基づいて前記遊技画面の大きさを調整するようになっている。
【００１８】
このような構成であれば、遊技盤が取り付けられると、スクリーンサイズ情報取得手段により、スクリーンサイズ情報が情報蓄積端末から取得され、遊技画面調整手段により、取得されたスクリーンサイズ情報に基づいて遊技画面の大きさが調整される。
ここで、情報蓄積端末としては、例えば、パチンコホール等に設置されているホールコンピュータが該当する。
【００１９】
一方、上記目的を達成するために、本発明に係る請求項８記載の遊技盤は、請求項３記載の投影型遊技機に適用する遊技盤であって、投影光を透過させまたは反射させることにより投影画面を表示可能なスクリーンを備え、当該遊技盤のスクリーンの大きさに関するスクリーンサイズ情報が付されている。
このような構成であれば、請求項３記載の投影型遊技機に取り付けると、請求項３記載の投影型遊技機と同等の作用が得られる。
【００２０】
一方、上記目的を達成するために、本発明に係る請求項９記載の遊技機は、裏面からの光が透過可能な画面表示領域を有する遊技盤が取付可能であり、前記画面表示領域に遊技画面を表示して遊技を行う遊技機であって、前記遊技盤が取り付けられた場合に前記画面表示領域の裏面を覆うように配置されかつ前記遊技画面を表示する遊技画面表示手段と、前記画面表示領域の大きさに関する表示領域サイズ情報に基づいて前記遊技画面の大きさを調整する遊技画面調整手段とを備える。
【００２１】
このような構成であれば、遊技盤が取り付けられると、遊技画面調整手段により、表示領域サイズ情報に基づいて遊技画面の大きさが調整される。遊技盤が取り付けられた状態で、遊技画面表示手段に遊技画面が表示されると、遊技画面が画面表示領域を透過する。このようにして、遊技画面表示手段により画面表示領域を介して遊技画面が表示され、遊技が行われる。
【００２２】
ここで、表示領域サイズ情報は、どのようにして与えてもよい。例えば、ホールコンピュータ等に表示領域サイズ情報を蓄積し、ホールコンピュータ等から表示領域サイズ情報を取得することにより与えるようになっていてもよいし、直接または遠隔で表示領域サイズ情報を入力することにより与えるようになっていてもよい。作業の容易化を図る観点からは、表示領域サイズ情報を遊技盤に付しておき、遊技盤の取付時に表示領域サイズ情報を遊技盤から読み取るようになっているのが好ましい。
【００２３】
また、画面表示領域は、例えば、アクリル板等の透光性の部材で構成してもよいし、裏面から表面までを貫通する開口部として構成してもよい。
また、遊技画面表示手段としては、例えば、ＣＲＴ（Ｃａｔｈｏｄｅ　Ｒａｙ　Ｔｕｂｅ）、ＬＣＤ（Ｌｉｑｕｉｄ　Ｃｒｙｓｔａｌ　Ｄｉｓｐｌａｙ）その他の表示手段が含まれる。
また、本発明のより具体的な構成としては、例えば、請求項３ないし８のいずれかに記載の投影型遊技機の構成を採用することができる。この場合において、スクリーンサイズ情報は、表示領域サイズ情報に対応し、スクリーンは、画面表示領域に対応している。
【００２４】
【発明の実施の形態】
以下、本発明の第１の実施の形態を図面を参照しながら説明する。図１ないし図７は、本発明に係る投影型遊技機、遊技盤および遊技機の第１の実施の形態を示す図である。
本実施の形態は、図１に示すように、本発明に係る投影型遊技機、遊技盤および遊技機をパチンコ機１に適用したものである。
まず、パチンコ機１の構成を図１および図２を参照しながら説明する。図１は、パチンコ機１の垂直方向の断面図である。図２は、パチンコ機１の斜視図である。
【００２５】
パチンコ機１は、図１および図２に示すように、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６とを有して構成されている。
【００２６】
フレネルレンズ１２およびスクリーン１０は、一体として構成され、遊技盤１４の裏面に設けられた取付部材２によって遊技盤１４に固定される。そして、遊技盤１４、フレネルレンズ１２およびスクリーン１０は、遊技者からみて遊技盤１４が最前面にくるように遊技筐体３に収納される。遊技筐体３は、遊技台４上に設置されており、遊技筐体３の前面側には、ガラス等の透明部材で前面を覆った前枠部５が開閉可能に取り付けられているとともに、発射ハンドル６が設けられている。発射ハンドル６は、遊技者が遊技球の発射操作のために用いるものであり、遊技者が発射ハンドル６を操作したときは、発射装置（不図示）により、受け皿（不図示）に貯留されている遊技球を遊技盤面１４に発射するようになっている。また、遊技筐体３の裏面側には、遊技盤面１４のスクリーンサイズ情報を読み取るための読取センサ５０ａが取り付けられている。
【００２７】
液晶プロジェクタ２０は、小型液晶パネル２１を内蔵し、小型液晶パネル２１に映し出した図柄等のパチンコ遊技画面を内部のレンズ２２で拡大して投影するようになっている。また、液晶プロジェクタ２０は、遊技台４の裏面側に設けられた台座７上に設置されており、台座７は、液晶プロジェクタ２０からの投影光がリフレクタ１６に照射されるようにその角度が調整されている。
【００２８】
リフレクタ１６は、スクリーン１０の裏面側に設けられており、液晶プロジェクタ２０からの投影光をスクリーン１０の裏面に向けて反射させるようにその角度が調整されている。なお、リフレクタ１６としては、平面鏡を使用しても良いが、反射面が縦方向または横方向に湾曲した凸面状のものを使用すれば、さらに投影光を拡大することができる。
【００２９】
スクリーン１０は、液晶プロジェクタ２０の投影光を裏面側に受けて、パチンコ遊技画面を前面側に映し出すべく投影光を前面側に透過させるものである。
次に、遊技盤１４の構成を図３ないし図５を参照しながら詳細に説明する。図３ないし図５は、遊技盤の正面図である。
パチンコ機１には、図３ないし図５に示すように、３種類の遊技盤１４ａ〜１４ｃが取付可能となっている。なお、さらに他種類の遊技盤を取り付けることももちろん可能である。
【００３０】
遊技盤１４ａは、図３に示すように、第１の大きさ（例えば、５インチ）のスクリーン１０ａを有している。また、遊技盤１４ａの裏面には、第１の大きさを示すスクリーンサイズ情報１５ａが付されている。スクリーンサイズ情報１５ａは、バーコード、２次元バーコード、ＲＦＩＤ非接触型タグ、ＩＣチップその他の識別情報からなり、遊技盤１４ａの取付時に読取センサ５０ａで読取可能となるように、遊技盤１４ａの所定箇所に付されている。図３の例では、図１において読取センサ５０ａが遊技盤１４の取付位置の下方に設けられているので、遊技盤１４ａの右下に付されている。
【００３１】
遊技盤１４ｂは、図４に示すように、第２の大きさ（例えば、７インチ）のスクリーン１０ｂを有している。また、遊技盤１４ｂの裏面には、第２の大きさを示すスクリーンサイズ情報１５ｂが付されている。スクリーンサイズ情報１５ｂは、バーコード、２次元バーコード、ＲＦＩＤ非接触型タグ、ＩＣチップその他の識別情報からなり、遊技盤１４ｂの取付時に読取センサ５０ａで読取可能となるように、遊技盤１４ｂの所定箇所に付されている。図４の例では、図１において読取センサ５０ａが遊技盤１４の取付位置の下方に設けられているので、遊技盤１４ｂの右下に付されている。
【００３２】
遊技盤１４ｃは、図５に示すように、第３の大きさ（例えば、１１インチ）のスクリーン１０ｃを有している。また、遊技盤１４ｃの裏面には、第３の大きさを示すスクリーンサイズ情報１５ｃが付されている。スクリーンサイズ情報１５ｃは、バーコード、２次元バーコード、ＲＦＩＤ非接触型タグ、ＩＣチップその他の識別情報からなり、遊技盤１４ｃの取付時に読取センサ５０ａで読取可能となるように、遊技盤１４ｃの所定箇所に付されている。図５の例では、図１において読取センサ５０ａが遊技盤１４の取付位置の下方に設けられているので、遊技盤１４ｃの右下に付されている。
【００３３】
次に、パチンコ機１の内部構造を図６を参照しながら詳細に説明する。図６は、パチンコ機１の内部構造を示すブロック図である。
パチンコ機１は、図６に示すように、遊技盤１４が取り付けられた場合にスクリーンサイズ情報を遊技盤１４から読み取る読取センサ５０ａと、パチンコ機１の遊技状態を制御する遊技制御部５２と、液晶プロジェクタ２０のレンズ２２を調整するレンズ調整部５４とを有して構成されている。
【００３４】
読取センサ５０ａは、例えば、バーコードリーダ、２次元バーコードリーダ、ＲＦＩＤ非接触型タグリーダ、ＩＣチップリーダその他の従来一般のリーダとして構成することができる。
遊技制御部５２は、マイクロプロセッシングユニットＭＰＵ等からなり、図示しないリセット回路からのリセット信号により所定の動作クロック（例えば、４［ｍｓ］）で１サイクルを実行可能な遊技制御プログラムに基づいて動作するようになっており、ＲＯＭ等の所定領域に格納されている遊技制御プログラムを起動させ、遊技制御処理のほか、図７のフローチャートに示す画面サイズ調整処理を実行するようになっている。図７は、画面サイズ調整処理を示すフローチャートである。
【００３５】
画面サイズ調整処理は、読取センサ５０ａで読み取ったスクリーンサイズ情報に基づいてパチンコ遊技画面の大きさを調整する処理であって、遊技制御部５２において実行されると、図７に示すように、まず、ステップＳ１００に移行するようになっている。
ステップＳ１００では、図示しないセンサ等により遊技盤１４が取り付けられたか否かを判定し、遊技盤１４が取り付けられたと判定したとき（Ｙｅｓ）は、ステップＳ１０２に移行して、そうでないと判定したとき（Ｎｏ）は、遊技盤１４が取り付けられるまでステップＳ１００で待機する。
【００３６】
ステップＳ１０２では、読取センサ５０ａによりスクリーンサイズ情報を読み取り、ステップＳ１０４に移行して、読み取ったスクリーンサイズ情報が第１のサイズを示すものであるか否かを判定し、読み取ったスクリーンサイズ情報が第１のサイズを示すものであると判定したとき（Ｙｅｓ）は、ステップＳ１０６に移行して、パチンコ遊技画面が第１の大きさとなるようにレンズ調整部５４を調整し、一連の処理を終了して元の処理に復帰させる。
【００３７】
一方、ステップＳ１０４で、読み取ったスクリーンサイズ情報が第１のサイズを示すものでないと判定したとき（Ｎｏ）は、ステップＳ１０８に移行して、読み取ったスクリーンサイズ情報が第２のサイズを示すものであるか否かを判定し、読み取ったスクリーンサイズ情報が第２のサイズを示すものであると判定したとき（Ｙｅｓ）は、ステップＳ１１０に移行して、パチンコ遊技画面が第２の大きさとなるようにレンズ調整部５４を調整し、一連の処理を終了して元の処理に復帰させる。
【００３８】
一方、ステップＳ１０８で、読み取ったスクリーンサイズ情報が第２のサイズを示すものでないと判定したとき（Ｎｏ）は、ステップＳ１１２に移行して、読み取ったスクリーンサイズ情報が第３のサイズを示すものであるか否かを判定し、読み取ったスクリーンサイズ情報が第３のサイズを示すものであると判定したとき（Ｙｅｓ）は、ステップＳ１１４に移行して、パチンコ遊技画面が第３の大きさとなるようにレンズ調整部５４を調整し、一連の処理を終了して元の処理に復帰させる。
一方、ステップＳ１１２で、読み取ったスクリーンサイズ情報が第３のサイズを示すものでないと判定したとき（Ｎｏ）は、一連の処理を終了して元の処理に復帰させる。
【００３９】
その他、遊技制御部５２は、遊技球の入賞等を検出して遊技状態を制御し、制御内容に基づいて液晶プロジェクタ２０に制御信号を送信し、パチンコ遊技画面を生成して液晶プロジェクタ２０によりその投影光を照射するようになっている。遊技制御処理の一例として、遊技盤面１４に発射された遊技球が始動入賞口（不図示）に入賞したときは、図柄表示画面をパチンコ遊技画面として表示して図柄表示画面で図柄を変動表示するとともに、特賞状態を生起させるか否かの抽選を行い、抽選結果に基づいて変動図柄を所定の態様で停止させ特賞状態を生起させる。具体的には、図柄表示画面において３つの領域にそれぞれ図柄（例えば、「１」〜「９」）を独立に変動させながら表示し、抽選結果が特賞状態を生起するものであると判定したときは、図柄表示画面の３つの領域に表示されている変動図柄を所定の態様（例えば、「７７７」）で停止させた後に特賞状態を生起させる。
【００４０】
次に、本実施の形態の動作を説明する。
遊技盤１４ａをパチンコ機１に取り付けると、図示しないセンサ等により遊技盤１４ａが取り付けられたことが検出され、遊技盤１４ａの所定箇所にスクリーンサイズ情報が付されているので、読取センサ５０ａにより、スクリーンサイズ情報が遊技盤１４ａから読み取られる。そして、遊技盤１４ａに付されているスクリーンサイズ情報が第１の大きさを示すものであるので、遊技制御部５２により、ステップＳ１０４，Ｓ１０６を経て、パチンコ遊技画面が第１の大きさとなるようにレンズ調整部５４が調整される。これにより、パチンコ遊技画面は、遊技盤１４ａにおいてスクリーン１０ａ内にちょうど収まるように表示される。
【００４１】
次に、遊技盤１４ａに代えて遊技盤１４ｂをパチンコ機１に取り付けると、図示しないセンサ等により遊技盤１４ｂが取り付けられたことが検出され、遊技盤１４ｂの所定箇所にスクリーンサイズ情報が付されているので、読取センサ５０ａにより、スクリーンサイズ情報が遊技盤１４ｂから読み取られる。そして、遊技盤１４ｂに付されているスクリーンサイズ情報が第２の大きさを示すものであるので、遊技制御部５２により、ステップＳ１０８，Ｓ１１０を経て、パチンコ遊技画面が第２の大きさとなるようにレンズ調整部５４が調整される。これにより、パチンコ遊技画面は、遊技盤１４ｂにおいてスクリーン１０ｂ内にちょうど収まるように表示される。
【００４２】
次に、遊技盤１４ｂに代えて遊技盤１４ｃをパチンコ機１に取り付けると、図示しないセンサ等により遊技盤１４ｃが取り付けられたことが検出され、遊技盤１４ｃの所定箇所にスクリーンサイズ情報が付されているので、読取センサ５０ａにより、スクリーンサイズ情報が遊技盤１４ｃから読み取られる。そして、遊技盤１４ｃに付されているスクリーンサイズ情報が第３の大きさを示すものであるので、遊技制御部５２により、ステップＳ１１２，Ｓ１１４を経て、パチンコ遊技画面が第３の大きさとなるようにレンズ調整部５４が調整される。これにより、パチンコ遊技画面は、遊技盤１４ｃにおいてスクリーン１０ｃ内にちょうど収まるように表示される。
【００４３】
次に、パチンコ機１に電源が投入されると、液晶プロジェクタ２０からの投影光がリフレクタ１６に照射される。リフレクタ１６に投影光が照射されると、リフレクタ１６により、その投影光がスクリーン１０の裏面に向けて反射する。そして、スクリーン１０の裏面に投影光が照射されると、照射された投影光がスクリーン１０を透過することにより投影画面がスクリーン１０に表示される。このようにして、遊技盤面１４には、スクリーン１０を介してパチンコ遊技画面が表示されることになる。
【００４４】
一方、パチンコ機１に電源が投入されると、遊技制御部５２により、遊技制御処理が実行され、遊技可能な状態となる。遊技者は、貸し出しを受けた遊技球をパチンコ機１に装填し、発射ハンドル６を操作して遊技球を遊技盤面１４に発射することにより遊技を行うことができる。
遊技状態において、遊技盤面１４に発射された遊技球が始動入賞口に入賞すると、図柄表示画面で図柄が変動表示するとともに、特賞状態を生起させるか否かの抽選が行われる。その結果、特賞状態を生起させると判定されると、図柄表示画面の３つの領域に表示されている変動図柄を所定の態様で停止させた後に特賞状態が生起する。特賞状態では、大入賞口（不図示）が所定パターンで開放状態となって遊技球が入賞できるようになる。そして、大入賞口が所定時間開閉する動作時間を１ラウンドとし、１ラウンド中にＶ入賞口（不図示）への入賞があることを条件に所定数のラウンドが継続される。
【００４５】
このようにして、本実施の形態では、パチンコ機１は、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６と、スクリーン１０の大きさを示すスクリーンサイズ情報に基づいてパチンコ遊技画面の大きさを調整する遊技制御部５２とを備える。
【００４６】
これにより、スクリーンサイズ情報を与えるだけでパチンコ遊技画面の大きさが調整されるので、従来に比して、パチンコ遊技画面の大きさを調整する作業が比較的容易となり、パチンコ遊技画面の大きさを比較的適切に調整することができる。
さらに、本実施の形態では、パチンコ機１は、さらに、遊技盤１４が取り付けられた場合にスクリーンサイズ情報を遊技盤１４から読み取る読取センサ５０ａを備え、遊技制御部５２は、読取センサ５０ａで読み取ったスクリーンサイズ情報に基づいてパチンコ遊技画面の大きさを調整するようになっている。
【００４７】
これにより、遊技盤１４を取り付けるだけでパチンコ遊技画面の大きさが調整されるので、パチンコ遊技画面の大きさを調整する作業がさらに容易となる。
さらに、本実施の形態では、遊技制御部５２は、読取センサ５０ａで読み取ったスクリーンサイズ情報により特定されるスクリーン１０の大きさに収まるようにパチンコ遊技画面の大きさを調整するようになっている。
【００４８】
これにより、スクリーンサイズ情報により特定されるスクリーン１０の大きさに収まるようにパチンコ遊技画面の大きさが調整されるので、パチンコ遊技画面の大きさをさらに適切に調整することができる。
さらに、本実施の形態では、遊技制御部５２は、読取センサ５０ａで読み取ったスクリーンサイズ情報が第１の大きさを示すものであるときは、パチンコ遊技画面の大きさを第１の大きさとなるように調整し、読取センサ５０ａで読み取ったスクリーンサイズ情報が第２の大きさを示すものであるときは、パチンコ遊技画面の大きさを第２の大きさとなるように調整し、読取センサ５０ａで読み取ったスクリーンサイズ情報が第３の大きさを示すものであるときは、パチンコ遊技画面の大きさを第３の大きさとなるように調整するようになっている。
【００４９】
これにより、遊技盤１４ａ〜１４ｃのいずれを取り付けても、それらの別に応じてパチンコ遊技画面の大きさを比較的適切に調整することができる。
上記第１の実施の形態において、リフレクタ１６は、請求項２記載の反射手段に対応し、液晶プロジェクタ２０は、請求項１または２記載の投影手段に対応し、読取センサ５０ａは、請求項３ないし５記載のスクリーンサイズ情報読取手段に対応し、遊技制御部５２は、請求項１ないし５記載の遊技画面調整手段に対応している。また、遊技盤１４ａは、請求項５記載の第１遊技盤に対応し、遊技盤１４ｂは、請求項５記載の第２遊技盤に対応している。
【００５０】
次に、本発明の第２の実施の形態を図面を参照しながら説明する。図８ないし図１０は、本発明に係る投影型遊技機、遊技盤および遊技機の第２の実施の形態を示す図である。
本実施の形態は、図１に示すように、本発明に係る投影型遊技機、遊技盤および遊技機をパチンコ機１に適用したものであり、上記第１の実施の形態と異なるのは、読取スイッチ５０ａに代えて切換スイッチ５０ｂを設けた点にある。なお、以下、上記第１の実施の形態と異なる部分についてのみ説明し、重複する部分については同一の符号を付して説明を省略する。
【００５１】
まず、パチンコ機１の構成を図８を参照しながら説明する。図８は、パチンコ機１の垂直方向の断面図である。
図８において、遊技筐体３の裏面側には、読取センサ５０ａに代えて、切換スイッチ５０ｂが取り付けられている。
切換スイッチ５０ｂは、スクリーン１０が第１の大きさであることを示す第１の状態と、スクリーン１０が第２の大きさであることを示す第２の状態と、スクリーン１０が第３の大きさであることを示す第３の状態とを切換可能となっている。
【００５２】
切換スイッチ５０ｂの第１の状態に切り換える側には、スクリーン１０が第１の大きさであることを示す文字（例えば、「５インチ」）が付されており、遊技盤１４ａを取り付けたときは、この表示に従って切換スイッチ５０ｂを第１の状態に切り換える。また、切換スイッチ５０ｂの第２の状態に切り換える側には、スクリーン１０が第２の大きさであることを示す文字（例えば、「７インチ」）が付されており、遊技盤１４ｂを取り付けたときは、この表示に従って切換スイッチ５０ｂを第２の状態に切り換える。また、切換スイッチ５０ｂの第３の状態に切り換える側には、スクリーン１０が第３の大きさであることを示す文字（例えば、「１１インチ」）が付されており、遊技盤１４ｃを取り付けたときは、この表示に従って切換スイッチ５０ｂを第３の状態に切り換える。
【００５３】
次に、パチンコ機１の内部構造を図９を参照しながら詳細に説明する。図９は、パチンコ機１の内部構造を示すブロック図である。
パチンコ機１は、図９に示すように、切換スイッチ５０ｂ、遊技制御部５２およびレンズ調整部５４を有して構成されている。
遊技制御部５２は、図７のフローチャートに示す画面サイズ調整処理に代えて、図１０のフローチャートに示す画面サイズ調整処理を実行するようになっている。図１０は、画面サイズ調整処理を示すフローチャートである。
【００５４】
画面サイズ調整処理は、切換スイッチ５０ｂの切換状態に基づいてパチンコ遊技画面の大きさを調整する処理であって、遊技制御部５２において実行されると、図１０に示すように、まず、ステップＳ１００に移行するようになっている。
ステップＳ１００では、図示しないセンサ等により遊技盤１４が取り付けられたか否かを判定し、遊技盤１４が取り付けられたと判定したとき（Ｙｅｓ）は、ステップＳ２０４に移行して、そうでないと判定したとき（Ｎｏ）は、遊技盤１４が取り付けられるまでステップＳ１００で待機する。
【００５５】
ステップＳ２０４では、切換スイッチ５０ｂの切換状態が第１の状態であるか否かを判定し、第１の状態であると判定したとき（Ｙｅｓ）は、ステップＳ１０６に移行して、パチンコ遊技画面が第１の大きさとなるようにレンズ調整部５４を調整し、一連の処理を終了して元の処理に復帰させる。
一方、ステップＳ２０４で、切換スイッチ５０ｂの切換状態が第１の状態でないと判定したとき（Ｎｏ）は、ステップＳ２０８に移行して、切換スイッチ５０ｂの切換状態が第２の状態であるか否かを判定し、第２の状態であると判定したとき（Ｙｅｓ）は、ステップＳ１１０に移行して、パチンコ遊技画面が第２の大きさとなるようにレンズ調整部５４を調整し、一連の処理を終了して元の処理に復帰させる。
【００５６】
一方、ステップＳ２０８で、切換スイッチ５０ｂの切換状態が第２の状態でないと判定したとき（Ｎｏ）は、ステップＳ２１２に移行して、切換スイッチ５０ｂの切換状態が第３の状態であるか否かを判定し、第３の状態であると判定したとき（Ｙｅｓ）は、ステップＳ１１４に移行して、パチンコ遊技画面が第３の大きさとなるようにレンズ調整部５４を調整し、一連の処理を終了して元の処理に復帰させる。
【００５７】
一方、ステップＳ２１２で、切換スイッチ５０ｂの切換状態が第３の状態でないと判定したとき（Ｎｏ）は、一連の処理を終了して元の処理に復帰させる。
次に、本実施の形態の動作を説明する。
遊技盤１４ａをパチンコ機１に取り付け、切換スイッチ５０ｂを第１の状態に切り換えると、図示しないセンサ等により遊技盤１４ａが取り付けられたことが検出される。このとき、切換スイッチ５０ｂの切換状態が第１の状態であるので、遊技制御部５２により、ステップＳ２０４，Ｓ１０６を経て、パチンコ遊技画面が第１の大きさとなるようにレンズ調整部５４が調整される。これにより、パチンコ遊技画面は、遊技盤１４ａにおいてスクリーン１０ａ内にちょうど収まるように表示される。
【００５８】
次に、遊技盤１４ａに代えて遊技盤１４ｂをパチンコ機１に取り付け、切換スイッチ５０ｂを第２の状態に切り換えると、図示しないセンサ等により遊技盤１４ｂが取り付けられたことが検出される。このとき、切換スイッチ５０ｂの切換状態が第２の状態であるので、遊技制御部５２により、ステップＳ２０８，Ｓ１１０を経て、パチンコ遊技画面が第２の大きさとなるようにレンズ調整部５４が調整される。これにより、パチンコ遊技画面は、遊技盤１４ｂにおいてスクリーン１０ｂ内にちょうど収まるように表示される。
【００５９】
次に、遊技盤１４ｂに代えて遊技盤１４ｃをパチンコ機１に取り付け、切換スイッチ５０ｂを第３の状態に切り換えると、図示しないセンサ等により遊技盤１４ｃが取り付けられたことが検出される。このとき、切換スイッチ５０ｂの切換状態が第３の状態であるので、遊技制御部５２により、ステップＳ２１２，Ｓ１１４を経て、パチンコ遊技画面が第３の大きさとなるようにレンズ調整部５４が調整される。これにより、パチンコ遊技画面は、遊技盤１４ｃにおいてスクリーン１０ｃ内にちょうど収まるように表示される。
【００６０】
このようにして、本実施の形態では、パチンコ機１は、切換スイッチ５０ｂを備え、遊技制御部５２は、切換スイッチ５０ｂの切換状態に基づいてパチンコ遊技画面の大きさを調整するようになっている。
これにより、遊技盤１４を取り付け、切換スイッチ５０ｂを切り換えるだけでパチンコ遊技画面の大きさが調整されるので、パチンコ遊技画面の大きさを調整する作業が比較的容易となる。
【００６１】
さらに、本実施の形態では、遊技制御部５２は、切換スイッチ５０ｂの切換状態が第１の状態であるときは、パチンコ遊技画面の大きさを第１の大きさとなるように調整し、切換スイッチ５０ｂの切換状態が第２の状態であるときは、パチンコ遊技画面の大きさを第２の大きさとなるように調整し、切換スイッチ５０ｂの切換状態が第３の状態であるときは、パチンコ遊技画面の大きさを第３の大きさとなるように調整するようになっている。
【００６２】
これにより、遊技盤１４ａ〜１４ｃのいずれを取り付けても、それらの別に応じてパチンコ遊技画面の大きさを比較的適切に調整することができる。
さらに、本実施の形態では、スクリーン１０が第１の大きさであることを示す文字を切換スイッチ５０ｂの第１の状態に切り換える側に付し、スクリーン１０が第２の大きさであることを示す文字を切換スイッチ５０ｂの第２の状態に切り換える側に付し、スクリーン１０が第３の大きさであることを示す文字を切換スイッチ５０ｂの第３の状態に切り換える側に付した。
【００６３】
これにより、遊技盤１４ａ〜１４ｃを取り付けるときは、それら文字に従って切換スイッチ５０ｂを切り換えればよいので、切換スイッチ５０ｂの切換ミスをある程度防止することができる。
上記第２の実施の形態において、リフレクタ１６は、請求項２記載の反射手段に対応し、液晶プロジェクタ２０は、請求項１または２記載の投影手段に対応し、切換スイッチ５０ｂは、請求項３ないし５記載のスクリーンサイズ情報読取手段に対応し、遊技制御部５２は、請求項１ないし５記載の遊技画面調整手段に対応している。また、遊技盤１４ａは、請求項５記載の第１遊技盤に対応し、遊技盤１４ｂは、請求項５記載の第２遊技盤に対応している。
【００６４】
なお、上記第１の実施の形態においては、スクリーンサイズ情報を遊技盤１４に付し、遊技盤１４の取付時に読取センサ５０ａによりスクリーンサイズ情報を読み取るように構成したが、これに限らず、スクリーンサイズ情報をホールコンピュータ等に蓄積し、パチンコ機１とホールコンピュータを通信可能に接続し、遊技盤１４の取付時にホールコンピュータからスクリーンサイズ情報を取得するように構成してもよい。
【００６５】
この場合において、ホールコンピュータは、請求項７記載の情報蓄積端末に対応し、遊技制御部５２は、請求項７記載の遊技画面調整手段に対応している。
また、上記第１および第２の実施の形態においては、スクリーン１０、フレネルレンズ１２および液晶プロジェクタ２０を設け、液晶プロジェクタ２０からの投影光をスクリーン１０に表示するように構成したが、これに限らず、図１１に示すように、スクリーン１０およびフレネルレンズ１２に代えてＬＣＤ３０を設け、パチンコ遊技画面をＬＣＤ３０に表示するように構成してもよい。図１１は、パチンコ機１の垂直方向の断面図である。
【００６６】
図１１においては、遊技盤１４のスクリーン１０に対応する領域（遊技画面を表示する領域）を開口部として構成し、遊技盤１４が取り付けられた場合に開口部を覆うようにして遊技盤１４の裏面にＬＣＤ３０を配置する。遊技制御部５２は、読取センサ５０ａで読み取ったスクリーンサイズ情報に基づいてＬＣＤ３０のパチンコ遊技画面の大きさを調整するようになっている。
【００６７】
これにより、スクリーンサイズ情報を与えるだけでパチンコ遊技画面の大きさが調整されるので、従来に比して、パチンコ遊技画面の大きさを調整する作業が比較的容易となり、パチンコ遊技画面の大きさを比較的適切に調整することができる。
この場合において、スクリーンサイズ情報は、請求項９記載の表示領域サイズ情報に対応し、開口部は、請求項９記載の画面表示領域に対応し、ＬＣＤ３０は、請求項９記載の遊技画面表示手段に対応し、遊技制御部５２は、請求項９記載の遊技画面調整手段に対応している。
【００６８】
また、上記第１の実施の形態においては、読取センサ５０ａで読み取ったスクリーンサイズ情報に基づいてパチンコ遊技画面の大きさを調整し、上記第２の実施の形態においては、切換スイッチ５０ｂの切換状態に基づいてパチンコ遊技画面の大きさを調整するように構成したが、これに限らず、それら両方の構成を備えて構成してもよい。例えば、基本的には、切換スイッチ５０ｂの切換操作によりパチンコ遊技画面の大きさを調整するようにするが、切換スイッチ５０ｂの切換状態により特定されるスクリーン１０の大きさと、読取センサ５０ａで読み取ったスクリーンサイズ情報により特定されるスクリーン１０の大きさとが異なるときは、読取センサ５０ａで読み取ったスクリーンサイズ情報により特定されるスクリーン１０の大きさを採用する。
【００６９】
また、上記第１および第２の実施の形態においては、液晶プロジェクタ２０のレンズ２２を調整することによりパチンコ遊技画面の大きさを調整するように構成したが、これに限らず、液晶プロジェクタ２０のレンズ２２は一定のままとし、遊技制御部５２による画像処理によりパチンコ遊技画面の大きさを調整するように構成してもよい。
【００７０】
また、上記第１および第２の実施の形態においては、パチンコ遊技画面の大きさの調整および遊技制御を遊技制御部５２で行うように構成したが、これに限らず、それらを別々の機構により行うように構成してもよい。例えば、パチンコ遊技画面の大きさの調整は、遊技制御部５２とは別に画面サイズ調整部を設け、画面サイズ調整部により行うことができる。
【００７１】
また、上記第１および第２の実施の形態においては、液晶プロジェクタ２０からの投影光をスクリーン１０の裏面から照射することによりスクリーン１０にパチンコ遊技画面を投影するように構成したが、これに限らず、液晶プロジェクタ２０からの投影光をスクリーン１０の前面から照射することによりスクリーン１０にパチンコ遊技画面を投影するように構成してもよい。前面から照射する場合、液晶プロジェクタ２０は、例えば、パチンコ機１の上方（遊技者の真上等）に配置し、上方から斜め下方に位置するスクリーン１０に向けて投影光を照射すればよい。もちろん、リフレクタ１６と組み合わせた構造であってもよい。
また、上記第１および第２の実施の形態においては、パチンコ機１に本発明を適用した場合について説明したが、これに限らず、本発明の趣旨を逸脱しない範囲で他のアミューズメントゲーム機にも適用可能である。
【００７２】
【発明の効果】
以上説明したように、本発明に係る請求項１記載の投影型遊技機によれば、スクリーンサイズ情報を与えるだけで遊技画面の大きさが調整されるので、従来に比して、遊技画面の大きさを調整する作業が比較的容易となり、遊技画面の大きさを比較的適切に調整することができるという効果が得られる。
【００７３】
さらに、本発明に係る請求項２ないし７記載の投影型遊技機によれば、スクリーンサイズ情報を与えるだけで遊技画面の大きさが調整されるので、従来に比して、遊技画面の大きさを調整する作業が比較的容易となり、遊技画面の大きさを比較的適切に調整することができるという効果が得られる。
さらに、本発明に係る請求項３ないし６記載の投影型遊技機によれば、遊技盤を取り付けるだけで遊技画面の大きさが調整されるので、遊技画面の大きさを調整する作業がさらに容易となるという効果も得られる。
【００７４】
さらに、本発明に係る請求項４記載の投影型遊技機によれば、スクリーンサイズ情報により特定されるスクリーンの大きさに収まるように遊技画面の大きさが調整されるので、遊技画面の大きさをさらに適切に調整することができるという効果も得られる。
さらに、本発明に係る請求項５記載の投影型遊技機によれば、第１遊技盤および第２遊技盤のいずれを取り付けても、それらの別に応じて遊技画面の大きさを比較的適切に調整することができるという効果も得られる。
【００７５】
一方、本発明に係る請求項８記載の遊技盤によれば、請求項３記載の投影型遊技機と同等の効果が得られる。
一方、本発明に係る請求項９記載の遊技機によれば、表示領域サイズ情報を与えるだけで遊技画面の大きさが調整されるので、従来に比して、遊技画面の大きさを調整する作業が比較的容易となり、遊技画面の大きさを比較的適切に調整することができるという効果が得られる。
【図面の簡単な説明】
【図１】パチンコ機１の垂直方向の断面図である。
【図２】パチンコ機１の斜視図である。
【図３】遊技盤の正面図である。
【図４】遊技盤の正面図である。
【図５】遊技盤の正面図である。
【図６】パチンコ機１の内部構造を示すブロック図である。
【図７】画面サイズ調整処理を示すフローチャートである。
【図８】パチンコ機１の垂直方向の断面図である。
【図９】パチンコ機１の内部構造を示すブロック図である。
【図１０】画面サイズ調整処理を示すフローチャートである。
【図１１】パチンコ機１の垂直方向の断面図である。
【符号の説明】
１　　　　　　　　　　　　遊技機
２　　　　　　　　　　　　取付部材
３　　　　　　　　　　　　遊技筐体
４　　　　　　　　　　　　遊技台
５　　　　　　　　　　　　前面枠
６　　　　　　　　　　　　発射ハンドル
７　　　　　　　　　　　　台座
１０　　　　　　　　　　　スクリーン
１２　　　　　　　　　　　フレネルレンズ
１４　　　　　　　　　　　遊技盤
１６　　　　　　　　　　　リフレクタ
２０　　　　　　　　　　　液晶プロジェクタ
２１　　　　　　　　　　　小型液晶パネル
２２　　　　　　　　　　　レンズ
３０　　　　　　　　　　　ＬＣＤ
５０ａ　　　　　　　　　　読取スイッチ
５０ｂ　　　　　　　　　　切換スイッチ
５２　　　　　　　　　　　遊技制御部
５４　　　　　　　　　　　レンズ調整部
【図１】
2004105706.tif 000003
【図２】
2004105706.tif 000004
【図３】
2004105706.tif 000005
【図４】
2004105706.tif 000006
【図５】
2004105706.tif 000007
【図６】
2004105706.tif 000008
【図７】
2004105706.tif 000009
【図８】
2004105706.tif 000010
【図９】
2004105706.tif 000011
【図１０】
2004105706.tif 000012
【図１１】
2004105706.tif 000013